(57)【要約】  血液試料のヘマトクリット値を短時間、低コストで測定することのできる技術およびセンサチップを提供する。  センサチップが備える測定用作用極と測定用対極との間に印加される電圧を掃引して得られる応答電流が計測され、掃引された印加電圧の時間変化に対する応答電流の追従性に基づいてヘマトクリット値が導出されるため、従来のヘマトクリット値の測定方法のように、ヘマトクリット値を測定するのに酸化還元物質の酸化還元反応が安定するまで待機する必要がなく、血液試料のヘマトクリット値を短時間で測定することができる。また、ヘマトクリット値を測定するのに酸化還元物質が必要ないので、ヘマトクリット値を低コストで測定することができる。
2013073072.tif 000002
【特許請求の範囲】
【請求項１】
測定用作用極および測定用対極を含む電極系を備えるセンサチップを用いた血液試料のヘマトクリット値の測定方法において、
前記測定用作用極と前記測定用対極との間に印加される電圧を掃引して得られる応答電流を計測し、掃引された前記印加電圧の時間変化に対する前記応答電流の追従性に基づいてヘマトクリット値を導出する
ことを特徴とするヘマトクリット値の測定方法。
【請求項２】
前記印加電圧を正方向に増大させて掃引することを特徴とする請求項１に記載のヘマトクリット値の測定方法。
【請求項３】
前記応答電流の、少なくとも２つの時刻における電流値の増加率に基づいて、前記ヘマトクリット値を算出する請求項１または２に記載のヘマトクリット値の測定方法。
【請求項４】
前記応答電流の、少なくとも２つの時刻における電流値の比に基づいて、前記ヘマトクリット値を算出する請求項１または２に記載のヘマトクリット値の測定方法。
【請求項５】
前記各電流値の、少なくとも１つは前記印加電圧が水の分解電圧よりも小さい電圧値であるときの計測値であり、少なくとも１つは前記印加電圧が前記水の分解電圧以上の電圧値であるときの計測値であることを特徴とする請求項４に記載のヘマトクリット値の測定方法。
【請求項６】
前記印加電圧を線形に増大させて掃引することを特徴とする請求項１ないし５のいずれかに記載のヘマトクリット値の測定方法。
【請求項７】
前記印加電圧を、１Ｖ／秒〜１００Ｖ／秒の範囲の増加率で線形に増大させて掃引することを特徴とする請求項６に記載のヘマトクリット値の測定方法。
【請求項８】
請求項１ないし７のいずれかに記載のヘマトクリット値の測定方法を用いて前記血液試料のヘマトクリット値を測定する工程と、
前記血液試料中の測定対象物質と、前記測定対象物質と特異的に反応する酵素を含む反応層とが反応することで生成される還元物質を、前記電極系が有する定量用作用極と定量用対極間との間に電圧を印加して酸化することにより得られる酸化電流を計測する工程と、
前記ヘマトクリット値および前記酸化電流に基づいて前記測定対象物質の定量を行う工程と
を備えることを特徴とする定量分析方法。
【請求項９】
電極層と、カバー層と、電極層およびカバー層に挟まれて配置されるスペーサ層とが積層されて成り、前記電極層および前記カバー層と前記スペーサ層に形成されたスリットとにより形成されたキャビティと、前記キャビティに連通する試料導入口とを備えるセンサチップにおいて、
前記電極層には、測定用作用極および測定用対極並びに定量用作用極および定量用対極を含む電極系が、前記各電極の一部が前記キャビティに露出するように設けられ、
前記測定用作用極および前記測定用対極の組が前記試料導入口に近い上流側に配置され、前記定量用作用極および前記定量用対極の組が前記試料用導入口から遠い下流側に配置されると共に、血液試料中に含まれる測定対象物質と特異的に反応する酵素を含む反応層が、前記測定用作用極および前記測定用対極の組よりも下流側に配置されて前記キャビティに設けられている
ことを特徴とするセンサチップ。
【発明の詳細な説明】
【技術分野】
【０００１】
本発明は、測定用作用極および測定用対極を含む電極系を備えるセンサチップを用いた血液試料のヘマトクリット値（Ｈｃｔ）の測定方法およびこの測定方法を用いた定量分析方法と、これらの測定方法および定量分析方法において使用されるセンサチップに関する。
【背景技術】
【０００２】
従来、作用極および対極を含む電極系と、測定対象物質と特異的に反応する酵素を含む反応層とを有するセンサチップを用いて、血液試料に含まれるグルコースなどの測定対象物質の定量を行う定量分析方法が知られている。すなわち、測定対象物質と反応層とが反応することで生成される還元物質を、作用極と対極との間に電圧を印加して酸化することにより得られる酸化電流を計測することで測定対象物質の定量が行われる。【０００３】
センサチップは、ポリエチレンテレフタレートからなる絶縁性の基板に電極が設けられることによる電極層と、カバー層と、電極層とカバー層とに挟まれて配置されるスペーサ層とが積層されて形成される。また、スペーサ層には、血液試料が供給されるキャビティを形成するためのスリットが設けられており、電極層にスペーサ層を介してカバー層が積層されて接着されることで、電極層およびカバー層と、スペーサ層のスリットの部分とにより血液試料が供給されるキャビティが形成され、センサチップの側面に試料導入口が形成される。また、試料導入口からキャビティに血液試料が供給されるが、毛細管現象によりキャビティへ血液試料が供給されるため、カバー層には、形成されたキャビティの終端部分に連通する空気穴が形成されている。【０００４】
また、作用極および対極と、作用極および対極にそれぞれ電気接続される電極パターンとが電極層に設けられることにより、電極系が電極層に形成される。また、作用極および対極は、それぞれセンサチップに形成されたキャビティにその一部が露出するように電極層に設けられており、作用極および対極のキャビティに露出する部分に反応層が設けられている。したがって、血液試料が試料導入口からキャビティに供給されると、キャビティに露出する各電極および反応層に血液試料が接触すると共に、反応層が血液試料に溶解する。【０００５】
また、作用極および対極上に設けられた反応層には、血液試料に含まれる、例えばグルコースに特異的に反応するグルコースオキシダーゼと、メディエータ（電子受容体）としてのフェリシアン化カリウムとが含まれている。そして、フェリシアン化カリウムが血液試料に溶解することによるフェリシアン化イオンは、グルコースがグルコースオキシダーゼと反応してグルコノラクトンに酸化される際に放出される電子により還元体であるフェロシアン化イオンに還元される。したがって、センサチップに形成されたキャビティにグルコースを含む血液試料が試料導入口から供給されると、フェリシアン化イオンはグルコースが酸化されることにより放出される電子により還元されるため、血液試料に含まれて酵素反応により酸化されるグルコースの濃度に応じた量だけフェリシアン化イオンの還元体であるフェロシアン化イオンが生成される。【０００６】
このよう構成されたセンサチップでは、酵素反応の結果生じたメディエータの還元体を作用極上で酸化することにより得られる酸化電流が血液試料中のグルコース濃度に依存した大きさとなる。したがって、この酸化電流を計測することにより血液試料に含まれるグルコースの定量を行うことができる。【０００７】
ところで、血液試料には赤血球などの血球が含まれており、上記した酸化電流の大きさは、血液試料中の血球の容積の割合を示すヘマトクリット値の大きさに影響されることが知られている。また、近年、少量の血液試料を用いて短時間で正確に血液試料中の測定対象物質の定量分析を行うことが要望されており、センサチップには、少量の血液試料が供給されるように、より小さな容積のキャビティが形成されている。したがって、センサチップに形成されているキャビティの容積が小さく、測定に用いられる血液試料が少量であるため、計測対象である酸化電流の大きさが小さい。そのため、センサチップにより計測される酸化電流には血液試料のヘマトクリット値に依存した誤差が含まれるが、計測される酸化電流の大きさが小さく、酸化電流に含まれるヘマトクリット値に依存した誤差の割合が相対的に大きくなるので、ヘマトクリット値に依存する誤差を無視することができない。【０００８】
そこで、上記した酸化電流を計測すると共に、血液試料のヘマトクリット値を測定し、計測された酸化電流の大きさに基づく測定対象物質の定量分析を行う際に、測定されたヘマトクリット値に基づく補正を行うことにより、血液試料中の測定対象物質の定量分析の高精度化を図る試みが為されている。例えば特許文献１には、作用極および対極にステップ状の電圧を印加することによるメディエータ等の酸化還元物質の酸化還元電流を計測し、計測された酸化還元電流に基づいてヘマトクリット値を導出する方法が記載されている。【０００９】
すなわち、メディエータ等の酸化還元物質は、反応層が血液試料に溶解する際にその一部が赤血球中に吸収されるが、赤血球中に吸収された酸化還元物質は、作用極と対極との間に電圧が印加されても酸化還元されない。したがって、図７の従来のヘマトクリット値の測定方法における応答電流の一例に示すように、血液試料のヘマトクリット値（Ｈｃｔ）が高ければ、赤血球中に吸収される酸化還元物質の量が増えるため、相対的にセンサチップのキャビティ内において酸化還元される酸化還元物質の量が少なくなるので、作用極と対極との間に電圧が印加されることによる酸化還元電流は小さくなる。【００１０】
また、血液試料のヘマトクリット値（Ｈｃｔ）が低ければ、赤血球中に吸収される酸化還元物質の量が減るため、相対的にセンサチップのキャビティ内において酸化還元される酸化還元物質の量が多くなるので、作用極と対極との間に電圧が印加されることによる酸化還元物質の酸化還元電流は大きくなる。したがって、作用極と対極との間に電圧が印加されることによる酸化還元物質の酸化還元電流を計測することにより、血液試料のヘマトクリット値を測定することができる。
【先行技術文献】
【特許文献】
【００１１】
【特許文献１】国際公開第０８／０４７８４３号パンフレット（段落０００２〜０００６、図７〜１３、要約など）
【発明の概要】
【発明が解決しようとする課題】
【００１２】
上記した従来のヘマトクリット値の測定方法では、作用極および対極にステップ状に電圧が印加されることにより、酸化還元物質が酸化還元反応するときの酸化還元電流が計測される。作用極および対極にステップ状に電圧が印加された直後は、電気二重層の充電電流など、計測対象である酸化還元電流とは異なる電流が大量に生じる。したがって、計測対象である酸化還元物質の酸化還元電流を精度よく計測するためには、作用極および対極に電圧が印加された後、酸化還元物質の酸化還元反応がある程度安定するまで待機しなければならない。そのため、血液試料のヘマトクリット値の計測時間の短縮化を図る上で妨げとなっていた。【００１３】
また、血液試料のヘマトクリット値を測定するのに、作用極と対極との間に電圧が印加されて酸化還元物質が酸化還元反応することによる酸化還元電流が計測される。したがって、血液試料のヘマトクリット値の測定に酸化還元物質が必要であり、ヘマトクリット値の測定コストの増大を招いていた。【００１４】
この発明は上記課題に鑑みて為されたものであり、血液試料のヘマトクリット値を短時間、低コストで測定することのできる技術およびセンサチップを提供することを目的とする。
【課題を解決するための手段】
【００１５】
上記した目的を達成するために、本発明のヘマトクリット値の測定方法は、測定用作用極および測定用対極を含む電極系を備えるセンサチップを用いた血液試料のヘマトクリット値の測定方法において、前記測定用作用極と前記測定用対極との間に印加される電圧を掃引して得られる応答電流を計測し、掃引された前記印加電圧の時間変化に対する前記応答電流の追従性に基づいてヘマトクリット値を導出することを特徴としている（請求項１）。【００１６】
また、前記印加電圧を正方向に増大させて掃引するとよい（請求項２）。【００１７】
また、前記応答電流の、少なくとも２つの時刻における電流値の増加率に基づいて、前記ヘマトクリット値を算出するとよい（請求項３）。【００１８】
また、前記応答電流の、少なくとも２つの時刻における電流値の比に基づいて、前記ヘマトクリット値を算出するとよい（請求項４）。【００１９】
また、前記各電流値の、少なくとも１つは前記印加電圧が水の分解電圧よりも小さい電圧値であるときの計測値であり、少なくとも１つは前記印加電圧が前記水の分解電圧以上の電圧値であるときの計測値であるのが望ましい（請求項５）。【００２０】
また、前記印加電圧を線形に増大させて掃引するとよい（請求項６）。【００２１】
また、前記印加電圧を、１Ｖ／秒〜１００Ｖ／秒の範囲の増加率で線形に増大させて掃引してもよい（請求項７）。【００２２】
また、本発明の定量分析方法は、請求項１ないし７のいずれかに記載のヘマトクリット値の測定方法を用いて前記血液試料のヘマトクリット値を測定する工程と、前記血液試料中の測定対象物質と、前記測定対象物質と特異的に反応する酵素を含む反応層とが反応することで生成される還元物質を、前記電極系が有する定量用作用極と定量用対極間との間に電圧を印加して酸化することにより得られる酸化電流を計測する工程と、前記ヘマトクリット値および前記酸化電流に基づいて前記測定対象物質の定量を行う工程とを備えることを特徴としている（請求項８）。【００２３】
また、本発明のセンサチップは、電極層と、カバー層と、電極層およびカバー層に挟まれて配置されるスペーサ層とが積層されて成り、前記電極層および前記カバー層と前記スペーサ層に形成されたスリットとにより形成されたキャビティと、前記キャビティに連通する試料導入口とを備えるセンサチップにおいて、前記電極層には、測定用作用極および測定用対極並びに定量用作用極および定量用対極を含む電極系が、前記各電極の一部が前記キャビティに露出するように設けられ、前記測定用作用極および前記測定用対極の組が前記試料導入口に近い上流側に配置され、前記定量用作用極および前記定量用対極の組が前記試料用導入口から遠い下流側に配置されると共に、血液試料中に含まれる測定対象物質と特異的に反応する酵素を含む反応層が、前記測定用作用極および前記測定用対極の組よりも下流側に配置されて前記キャビティに設けられていることを特徴としている（請求項９）。
【発明の効果】
【００２４】
本願発明者は、血液試料に対して測定用作用極と測定用対極との間に電圧が印加されたときの応答電流を繰返し測定した。その結果、本願発明者は、測定用作用極と測定用対極との間に印加される電圧が掃引されたときに得られる応答電流は、掃引された印加電圧の時間変化に対する追従性が血液試料のヘマトクリット値に依存することを見出した。【００２５】
ところで、血液試料に対して測定用作用極と測定用対極との間に電圧が印加されると、測定用作用極および測定用対極間を流れる電流が応答電流として計測される。このとき計測される応答電流は、水の電気分解や、水酸化物イオン（ＯＨ−イオン）および水素イオン（Ｈ＋イオン）や、ナトリウムイオン（Ｎａ＋イオン）等を含む赤血球などのイオン性物質が両電極間を移動することにより生じる。【００２６】
ところが、イオン性物質としての赤血球は、水が電気分解されることによるＯＨイオンやＮａイオンと比較すると、測定用作用極と測定用対極との間に電圧が印加されたときに血液試料中を移動する速度が非常に遅い。したがって、測定用作用極と測定用対極との間に印加される電圧を掃引して得られる応答電流は、掃引された印加電圧の時間変化に対する追従性が血液試料のヘマトクリット値に依存すると考えられる。すなわち、血液試料のヘマトクリット値が高いと、電圧印加されたときの移動速度が遅い赤血球の血液試料中の割合が大きいため、測定用作用極と測定用対極との間に印加される電圧が掃引されたときに、掃引された印加電圧の時間変化に対する応答電流の追従性が相対的に悪くなる。また、血液試料のヘマトクリット値が低いと、電圧印加されたときの移動速度が遅い赤血球の血液試料中の割合が小さいため、測定用作用極と測定用対極との間に印加される電圧が掃引されたときに、掃引された印加電圧の時間変化に対する応答電流の追従性が相対的に向上する。【００２７】
したがって、請求項１の発明によれば、センサチップが備える測定用作用極と測定用対極との間に印加される電圧を掃引して得られる応答電流が計測され、掃引された印加電圧の時間変化に対する応答電流の追従性に基づいてヘマトクリット値が導出されるため、従来のヘマトクリット値の測定方法のように、ヘマトクリット値を測定するのに酸化還元物質の酸化還元反応が安定するまで待機する必要がなく、血液試料のヘマトクリット値を短時間で測定することができる。また、ヘマトクリット値を測定するのに酸化還元物質が必要ないので、ヘマトクリット値を低コストで測定することができる。【００２８】
請求項２の発明によれば、測定用作用極および測定用対極に印加される電圧は正方向に増大するように掃引されるため、両電極間に最初から高電圧が印加されることで、血液試料中の各種物質が電気化学反応することによる電流が生成されるのを防止することができるので、測定用作用極および測定用対極間を流れる容量性の電流を応答電流として精度よく計測することができる。【００２９】
請求項３の発明によれば、応答電流にはヘマトクリット値に依存する電流成分とは異なる種々のバックグランド成分が含まれているが、応答電流の少なくとも２つの時刻における電流値の増加率に基づいてヘマトクリット値が算出されるため、応答電流に含まれるバックグランド成分の影響を差分することにより除去することができる。【００３０】
請求項４の発明によれば、応答電流には環境温度に依存する誤差成分が含まれているが、応答電流の温度依存特性は、両電極に対する印加電圧が掃引されても変化しないため、応答電流の少なくとも２つの時刻における電流値の比に基づいてヘマトクリット値が算出されることにより、応答電流に含まれる環境温度に依存する誤差成分を除去することができる。【００３１】
請求項５の発明によれば、応答電流の少なくとも２つの時刻における電流値の比に基づいてヘマトクリット値が算出されるときに、各電流値の、少なくとも１つは印加電圧が水の分解電圧よりも小さい電圧値であるときの計測値であり、少なくとも１つは印加電圧が水の分解電圧以上の電圧値であるときの計測値であるため、水が電気分解することによる電流成分の比が大きくなるので、特に印加電圧が水の分解電圧よりも小さいときの応答電流に含まれるヘマトクリット値に依存する電流成分をより効果的に計測することができ、ヘマトクリット値の測定精度の向上を図ることができる。【００３２】
請求項６の発明によれば、印加電圧を線形に増大させて掃引することにより、測定用作用極および測定用対極との間に印加される電圧を、低コストの簡単な回路構成で容易に掃引することができるので実用的である。【００３３】
請求項７の発明によれば、１Ｖ／秒〜１００Ｖ／秒の範囲の増加率で、両電極間に印加される電圧を高速に線形増大させて掃引することにより、血液試料中での移動速度の遅い赤血球の影響がより効果的に応答電流の追従性に表れるため、応答電流を計測することによるヘマトクリット値の測定精度の向上を図ることができる。【００３４】
請求項８の発明によれば、ヘマトクリット値および還元物質の酸化電流に基づいて測定対象物質の定量が行われるため、血液試料のヘマトクリット値の影響を除去して精度よく測定対象物質の定量を行うことができる。また、血液試料のヘマトクリット値が短時間で測定されると共に、ヘマトクリット値を測定するのに酸化還元物質が必要ないので、ヘマトクリット値に基づく血液試料中の測定対象物質の定量を短時間、低コストで行うことができる。【００３５】
請求項９の発明によれば、センサチップの電極層には、測定用作用極および測定用対極並びに定量用作用極および定量用対極を含む電極系が、各電極の一部がキャビティに露出するように設けられている。したがって、測定作用極および測定用対極に印加される電圧を掃引して得られる応答電流を計測し、掃引された印加電圧の時間変化に対する応答電流の追従性に基づいて、血液試料のヘマトクリット値を短時間、低コストで測定することのできるセンサチップを提供することができる。【００３６】
また、センサチップの測定用作用極および測定用対極の組が試料導入口に近い上流側に配置され、定量用作用極および定量用対極の組が試料用導入口から遠い下流側に配置されると共に、血液試料中に含まれる測定対象物質と特異的に反応する酵素を含む反応層が、測定用作用極および測定用対極の組よりも下流側に配置されてキャビティに設けられている。したがって、試料用導入口からキャビティに血液試料が供給されたときに、反応層が測定用作用極および測定用対極よりも下流側に配置されているため、反応層が血液試料に溶解することにより生成された物質が、測定用作用極と測定用対極との間に電圧が印加されることによるヘマトクリット値の測定に影響を与えるのを抑制することができる。
【図面の簡単な説明】
【００３７】
【図１】本発明の定量分析方法において使用されるバイオセンサシステムの一例を示す図である。
【図２】センサチップの一例を示す図である。
【図３】センサチップの電極層の要部拡大図である。
【図４】測定用作用極に測定用対極を基準として印加される電位の一例を示す図である。
【図５】応答電流の一例を示す図である。
【図６】計測処理の一例を示すフローチャートである。
【図７】従来のヘマトクリット値の測定方法における応答電流の一例を示す図である。
【発明を実施するための形態】
【００３８】
本発明の定量分析方法の一実施形態について、図１〜図６を参照して説明する。
【００３９】
図１は本発明の定量分析方法において使用されるバイオセンサシステムの一例を示す図である。図２はセンサチップの一例を示す図であって、（ａ）は分解斜視図、（ｂ）は斜視図である。図３はセンサチップの電極層の要部拡大図である。図４は測定用作用極に測定用対極を基準として印加される電位の一例を示す図である。図５は応答電流の一例を示す図である。図６は計測処理の一例を示すフローチャートである。
【００４０】
＜バイオセンサシステム＞
バイオセンサシステム１は、図１〜図３に示すように、測定用作用極１０１ａおよび測定用対極１０１ｂ並びに定量用作用極１０２ａおよび定量用対極１０２ｂを含む電極系と、測定対象物質と特異的に反応する酵素を含む反応層１０３とを有するセンサチップ１００と、センサチップ１００が着脱自在に装着される測定器２とを備えている。そして、バイオセンサシステム１は、測定器２に装着されたセンサチップ１００の先端側に設けられたキャビティ１０４に供給された血液試料に含まれるグルコースなどの測定対象物質と、センサチップ１００に設けられた反応層１０３とが反応することで生成される還元物質を、定量用作用極１０２ａと定量用対極１０２ｂとの間に電圧を印加して酸化することにより得られる酸化電流を計測することで、血液試料に含まれる測定対象物質の定量を行う。
【００４１】
また、バイオセンサシステム１は、キャビティ１０４に供給された血液試料に対して、測定用作用極１０１ａと測定用対極１０１ｂとの間に印加される電圧を掃引して得られる応答電流を計測し、掃引された印加電圧の時間変化に対する応答電流の追従性に基づいて血液試料のヘマトクリット値を導出する。
【００４２】
測定器２は、センサチップ１００の装着が検出されると自動的に電源が投入されて、センサチップ１００に血液などの血液試料が供給されると、血液試料中のグルコースなどの測定対象物質の測定を開始する。そして、血液試料中の測定対象物質の定量が完了すれば、測定結果がＬＣＤなどの表示手段により形成される表示部３に表示されると共に、計測終了を合図するアラームがスピーカ４から出力されて、測定結果がメモリなどの記憶媒体により形成される記憶部５に記憶される。
【００４３】
また、測定器２は、操作スイッチなどにより形成された操作部６を備えており、操作部６が操作されることにより各種初期設定が実行されたり、記憶部５に記憶されている過去の計測結果などが表示部３に表示される。
【００４４】
また、測定器２は、シリアルインターフェース７（Ｉ／Ｆ）を備え、Ｉ／Ｆ７を介して接続された外部のパーソナルコンピュータとの間で、測定結果などのデータの送受信を行うことができる。なお、記憶部５には、過去の測定結果や、センサチップ１００の測定用作用極１０１ａに所定電位を印加することにより計測される応答電流に基づいて血液試料のヘマトクリット値を導出するための換算式、センサチップ１００の定量用作用極１０２ａに所定電位を印加することにより計測される酸化電流に基づいて血液試料に含まれる測定対象物質の定量を行うための換算式、ＣＰＵ８により実行されることにより各種機能が実現されるプログラムなどが格納されている。
【００４５】
また、測定器２は、電圧出力部９と、電流電圧変換部１０と、Ａ／Ｄ変換部１１とを備えている。電圧出力部９は、デジタル−アナログ変換機能（Ｄ／Ａ変換機能）を有し、ＣＰＵ８からの制御指令に基づいて、測定器２に装着されたセンサチップ１００の測定用対極１０１ｂおよび定量用対極１０２ｂに一定の参照電位を出力するとともに、測定用対極１０１ｂおよび定量用対極１０２ｂにそれぞれ印加されている参照電位を基準とする所定電位を測定用作用極１０１ａおよび定量用作用極１０２ａに出力する。
【００４６】
電流電圧変換部１０は、オペアンプや抵抗素子により形成される一般的な電流電圧変換回路を有し、電圧出力部９によりセンサチップ１００の測定用作用極１０１ａおよび定量用作用極１０２ａのそれぞれに所定電位が印加されることで、測定用作用極１０１ａと測定用対極１０１ｂとの間に流れる応答電流および定量用作用極１０２ａと定量用対極１０２ｂとの間に流れる酸化電流をＣＰＵ８に取込むことができるように電圧信号に変換する。Ａ／Ｄ変換部１１は、電流電圧変換部１０により変換された電圧信号をデジタル信号に変換する。そして、Ａ／Ｄ変換部１１により変換されたデジタル信号はＣＰＵ８に取り込まれ、ＣＰＵ８において所定の演算が施されることにより、電圧信号から電流信号に変換される。
【００４７】
ＣＰＵ８は、血液試料のヘマトクリット値を測定し、血液試料に含まれる測定対象物質を定量するために記憶部５に記憶された各種プログラムを実行することにより以下の機能を備えている。
【００４８】
検出部８ａは、Ａ／Ｄ変換部１１を介してＣＰＵ８に入力された測定用作用極１０１ａと測定用対極１０１ｂとの間に流れる電流値を監視することにより、測定用作用極１０１ａおよび測定用対極１０１ｂ間が液体から成る血液試料により短絡することよる抵抗値の変化を検出し、センサチップ１００に設けられたキャビティ１０４に血液試料が供給されたことを検出する。
【００４９】
計時部８ｂは、図示省略されたクロック回路から出力されるクロック信号に基づいて、例えば、検出部８ａにより血液試料のキャビティ１０４への供給が検出されてからの経過時間や、電圧出力部９による測定用作用極１０１ａおよび定量用作用極１０２ａへの所定電位の印加時間などを計時する。
【００５０】
計測部８ｃは、電圧出力部９により、測定用作用極１０１ａおよび定量用作用極１０２ａに、それぞれ測定用対極１０１ｂおよび定量用対極１０２ｂを基準とする所定電位が印加されたときに、測定作用極１０１ａと測定用対極１０１ｂとの間に流れる応答電流および定量用作用極１０２ａと定量用対極１０２ｂとの間に流れる酸化電流を計測する。この実施形態では、測定用作用極１０１ａと測定用対極１０１ｂとの間に電圧出力部９により電圧が掃引して印加されたときに得られる応答電流が計測部８ｃにより計測される。また、センサチップ１００に血液試料が供給された後の所定のタイミングで定量用作用極１０２ａに定量用対極１０２ｂを基準とする所定の電位が電圧出力部９により印加されたときに得られる酸化電流が計測部８ｃにより計測される。
【００５１】
定量部８ｄは、測定用作用極１０１ａと測定用対極１０１ｂとの間に電圧出力部９により印加される電圧が掃引されたときに、計測部８ｃにより計測された応答電流の、掃引された印加電圧の時間変化に対する追従性に基づいてヘマトクリット値を導出する。具体的には、測定用作用極１０１ａと測定用対極１０１ｂとの間に電圧出力部９により印加される電圧が掃引されたときに計測部８ｃにより計測される応答電流と、血液試料のヘマトクリット値との関係が予め計測されることにより、計測部８ｃにより計測された応答電流の増加率や、応答電流の少なくとも２つの時刻における電流値の比などからヘマトクリット値を換算するための換算式が導出されて予め記憶部５に格納されている。そして、計測部８ｃにより計測された応答電流の増加率や、応答電流の少なくとも２つの時刻における電流値の比などから、記憶部５に格納された換算式に基づいて定量部８ｄにより血液試料のヘマトクリット値が導出される。
【００５２】
また、定量部８ｄは、キャビティ１０４に血液試料が供給された後の所定のタイミングで、定量用作用極１０２ａに定量用対極１０２ｂを基準とする所定の電位が電圧出力部９により印加されたときに計測部８ｃにより計測される酸化電流に基づいて、血液試料中の測定対象物質の定量を行う。具体的には、定量用作用極１０２ａに定量用対極１０２ｂを基準とする所定の電位が電圧出力部９により印加されたときに計測部８ｃにより計測される酸化電流と、血液試料に含まれる測定対象物質の濃度との関係が予め計測されることにより、計測部８ｃにより計測された酸化電流から濃度を換算するための換算式が導出されて予め記憶部５に格納されている。そして、計測部８ｃにより計測された酸化電流から、記憶部５に格納された換算式に基づいて定量部８ｄにより測定対象物質の定量が行われる。
【００５３】
なお、定量用作用極１０２ａに定量用対極１０２ｂを基準とする所定の電位が電圧出力部９により印加されたときに計測部８ｃにより計測される酸化電流の大きさは、測定対象物質の濃度および血液試料のヘマトクリット値に依存する。したがって、記憶部５には、酸化電流の大きさから測定対象物質の濃度を換算するための換算式に基づいて算出された濃度を、血液試料のヘマトクリット値に基づいて補正するための補正式や、ヘマトクリット値ごとの測定対象物質の濃度換算用の複数の換算式が格納されている。そして、定量用作用極１０２ａおよび定量用対極１０２ｂ間に所定電圧が印加されたときの酸化電流と、この酸化電流の計測に先立って測定された血液試料のヘマトクリット値に基づいて、測定対象物質の定量が行われる。
【００５４】
報知部８ｅは、定量部８ｄによる定量結果を表示部３に表示したり、測定が終了したことを示すアラームをスピーカ４から出力することによる報知を行う。
【００５５】
＜センサチップ＞
センサチップ１００は、図２および図３に示すように、それぞれ、セラミック、ガラス、プラスチック、紙、生分解性材料、ポリエチレンテレフタレートなどの絶縁性材料により形成され、測定作用極１０１ａおよび測定用対極１０１ｂ並びに定量用作用極１０２ａおよび定量用対極１０２ｂが設けられた電極層１１０と、空気穴１０６が形成されたカバー層１３０と、キャビティ１０４を形成するためのスリット１０５が形成され、電極層１１０およびカバー層１３０に挟まれて配置されるスペーサ層１２０とが、図２（ａ）に示すように、先端側が揃った状態で積層されて接着されることにより形成されている。そして、後端側から測定器２の所定の挿入口に挿入されて装着されることで、センサチップ１００は測定器２に装着される。
【００５６】
この実施形態では、電極層１１０は、ポリエチレンテレフタレートから成る基板により形成されている。また、電極層１１０の基板上にスクリーン印刷やスパッタリング蒸着法により形成された、白金、金、パラジウムなどの貴金属やカーボン、銅、アルミニウム、チタン、ＩＴＯ、ＺｎＯなどの導電性物質から成る電極膜にレーザ加工やフォトリソグラフィによるパターン形成が施されることにより、測定用作用極１０１ａおよび測定用対極１０１ｂ並びに定量用作用極１０２ａおよび定量用対極１０２ｂと、センサチップ１００が測定器２に装着されたときに、各電極１０１ａ，１０１ｂ，１０２ａ，のそれぞれと測定器２とを電気的に接続する電極パターン１０７ａ，１０７ｂ，１０８ａ，１０８ｂとが設けられている。
【００５７】
また、測定用作用極１０１ａおよび測定用対極１０１ｂの組がセンサチップ１００の先端に形成される試料導入口１０４ａに近い上流側に配置され、定量用作用極１０２ａおよび定量用対極１０２ｂの組が試料導入口１０４ａから遠い下流側に配置されている。
【００５８】
また、スペーサ層１２０は、ポリエチレンテレフタレートから成る基板により形成されており、基板の先端縁部のほぼ中央にキャビティ１０４を形成するためのスリット１０５が形成されて、図２（ａ）に示すように電極層１１０と先端が揃った状態で積層されて接着される。
【００５９】
反応層１０３は、電極層１１０にスペーサ層１２０が積層されて形成されるキャビティ１０４にその一部が露出する定量用作用極１０２ａおよび定量用対極１０２ｂに、カバー層１３０が積層される前に、カルボキシメチルセルロースやゼラチンなどの増粘剤、酵素、メディエータ、アミノ酸や有機酸などの添加物を含有する試薬を滴下することにより形成される。また、キャビティへ１０４に血液などの血液試料の供給を円滑にするために、界面活性剤やリン脂質などの親水化剤がキャビティ１０４内壁に塗布される。
【００６０】
酵素としては、グルコースオキシダーゼ、乳酸オキシダーゼ、コレステロールオキシダーゼ、アルコールオキシダーゼ、ザルコシンオキシダーゼ、フルクトシルアミンオキシダーゼ、ピルビン酸オキシダーゼ、グルコースデヒドロゲナーゼ、乳酸デヒドロゲナーゼ、アルコールデヒドロゲナーゼ、ヒドロキシ酪酸デヒドロゲナーゼ、コレステロールエステラーゼ、クレアチニナーゼ、クレアチナーゼ、DNAポリメラーゼなどを用いることができ、これらの酵素を検出したい測定対象物質に応じて選択することで種々のセンサを形成することができる。
【００６１】
例えば、グルコースオキシダーゼまたはグルコースデヒドロゲナーゼを用いれば血液試料中のグルコースを検出するグルコースセンサを形成でき、アルコールオキシダーゼまたはアルコールデヒドロゲナーゼを用いれば血液試料中のエタノールを検出するアルコールセンサを形成でき、乳酸オキシダーゼを用いれば血液試料中の乳酸を検出する乳酸センサを形成でき、コレステロールエステラーゼとコレステロールオキシダーゼとの混合物を用いれば総コレステロールセンサを形成できる。
【００６２】
メディエータとしては、フェリシアン化カリウム、フェロセン、フェロセン誘導体、ベンゾキノン、キノン誘導体、オスミウム錯体、ルテニウム錯体などを用いることができる。
【００６３】
増粘剤としては、カルボキシメチルセルロース、カルボキシエチルセルロース、ポリエチレンイミン DEAEセルロース ジメチルアミノエチルデキストラン カラギーナン アルギン酸ナトリウム
デキストランなどを用いることができる。親水化剤としては、ＴｒｉｔｏｎＸ１００（シグマアルドリッチ社製）、Ｔｗｅｅｎ２０（東京化成工業社製）、ビス（２−エチルヘキシル）スルホコハク酸ナトリウムなどの界面活性剤、レシチンなどのリン脂質を用いることができる。
【００６４】
また、血液試料に含まれるイオン濃度のばらつきを低減するために、リン酸などの緩衝剤を設けてもよい。なお、反応層１０３は、キャビティ１０４にその一部が露出する測定用作用極１０１ａおよび測定用対極１０１ｂの組よりも下流側に配置されてキャビティ１０４に設けられていればよく、測定用作用極１０１ａおよび測定用対極１０１ｂには、親水化剤のみが滴下される。また、反応層１０３に含まれる増粘剤により、キャビティ１０４に供給された血液試料に反応層１０３が溶解したときに、反応層１０３に含まれる酵素やメディエータが、測定用作用極１０１ａおよび測定用対極１０１ｂ付近に拡散することが防止される。
【００６５】
カバー層１３０は、ポリエチレンテレフタレートから成る基板により形成されており、基板にはスペーサ層１２０に積層されたときにキャビティ１０４と連通する空気穴１０６が形成されている。そして、反応層１０３がキャビティ１０４に露出する定量用作用極１０２ａおよび定量用対極１０２ｂ上に形成された後に、カバー層１３０がスペーサ層１２０に積層されて接着されることにより、血液試料をキャビティ１０４に供給するためにキャビティ１０４に連通する試料導入口１０４ａが先端に形成されたセンサチップ１００が形成される。
【００６６】
この実施形態では、バイオセンサシステム１は、血液中のグルコースの定量を行うことを目的に形成されており、測定対象物質としてのグルコースと特異的に反応する酵素としてグルコースオキシダーゼを含み、測定対象物であるグルコースとグルコースオキシダーゼとの反応により生成される電子により還元されて還元物質と成るメディエータとしてフェリシアン化カリウムを含む反応層１０３がキャビティ１０４に露出する定量用作用極１０２ａおよび定量用対極１０２ｂに設けられている。
【００６７】
このように構成されたセンサチップ１００では、先端の血液試料導入口１０４ａに血液試料を接触させることにより、毛細管現象により血液試料が空気穴１０６に向かって吸引されてキャビティ１０４に血液試料が供給される。そして、キャビティ１０４に供給された血液試料に反応層１０３が溶解することにより、血液試料中の測定対象物質であるグルコースとグルコースオキシダーゼとの酵素反応により電子が放出され、放出された電子によりフェリシアン化イオンが還元されて還元物質であるフェロシアン化イオンが生成される。
【００６８】
測定器２は、血液試料がキャビティ１０４に供給されると、測定用作用極１０１ａと測定用対極１０１ｂとの間に印加される電圧を掃引することにより得られる応答電流を計測することで、血液試料のヘマトクリット値を測定する。また、測定器２は、反応層１０３が血液試料に溶解することによる酸化還元反応により生成された還元物質を、センサチップ１００の定量用作用極１０２ａと定量用対極１０２ｂとの間に電圧を印加して電気化学的に酸化することにより、定量用作用極１０２ａと定量用対極１０２ｂとの間に流れる酸化電流を計測することで血液試料中のグルコースの定量を行う。
【００６９】
なお、この実施形態では、センサチップ１００は、定量用作用極１０２ａおよび定量用対極１０２ｂを有する二極電極構造に形成されているが、参照極をさらに設けることによりセンサチップ１００を三極電極構造に形成してもよい。この場合、定量用対極１０２ｂを接地して電圧出力部９により参照極に参照電位を印加した状態で、定量用作用極１０２ａに定量用対極１０２ｂを基準とする所定電位を印加すればよい。
【００７０】
また、この実施形態では、測定用作用極１０１ａと測定用対極１０１ｂとの間に所定電圧を印加することにより測定用作用極１０１ａと測定用対極１０１ｂとの間に流れる電流を監視することで、キャビティ１０４に血液試料が供給されたことを検出するように構成されているが、同様にして定量用作用極１０２ａと定量用対極１０２ｂとの間に流れる電流値を監視することにより、センサチップ１００に設けられたキャビティ１０４に血液試料が供給されたことを検出してもよい。また、血液試料検知用電極をさらに設け、測定用対極１０１ｂまたは定量用対極１０２ｂと、血液試料検知用電極との間に所定電圧を印加することにより、測定用対極１０２ｂまたは定量用対極１０２ｂと血液試料検知用電極との間に流れる電流を監視することで、キャビティ１０４に血液試料が供給されたことを検出するようにしてもよい。また、センサチップ１００を形成する電極層１１０、スペーサ層１２０およびカバー層１３０のうち、少なくともカバー層１３０は、キャビティ１０４に血液試料が供給されたことを視認できるように透明な部材で形成するのが望ましい。
【００７１】
＜ヘマトクリット値の測定原理＞
次に、センサチップ１００のキャビティ１０４に供給された血液試料のヘマトクリット値の測定原理について説明する。
【００７２】
図４および図５に示すように、測定用作用極１０１ａと測定用対極１０１ｂとの間に印加される電圧が掃引されたときに得られる応答電流は、掃引された印加電圧の時間変化に対する追従性が血液試料のヘマトクリット値に依存する。すなわち、図４に示すように、測定用作用極１０１ａと測定用対極１０１ｂとの間に印加される電圧を、例えば２０Ｖ／秒の増加率で線形に０．１秒間、正方向に増大させて掃引して得られる応答電流の掃引された印加電圧の時間変化に対する追従性は、図５に示すように、ヘマトクリット値が０％のときに最もよく（図５中の◇印）、ヘマトクリット値が２０％（図５中の□印）→４０％（図５中の△印）→６０％（図５中の×印）と増大するに連れて悪くなる。
【００７３】
したがって、測定用作用極１０１ａと測定用対極１０１ｂとの間に印加される電圧を掃引して得られる応答電流と、ヘマトクリット値との関係を予め計測しておくことで、センサチップ１００のキャビティ１０４に血液試料が供給されたときの実際の応答電流を計測することにより、血液試料のヘマトクリット値を測定することができる。
【００７４】
なお、ヘマトクリット値を測定するために応答電流を計測する際に、測定用作用極１０１ａおよび測定用対極１０１ｂに印加される電圧を正方向に単調に増大させるとよい。このようにすると、両電極１０１ａ，１０１ｂ間に最初から高電圧が印加されることで、血液試料中の各種物質が電気化学反応することによる電流が生成されるのを防止することができるので、測定用作用極１０１ａおよび測定用対極１０１ｂ間を流れる容量性の電流を応答電流として精度よく計測することができる。
【００７５】
具体的には、測定用作用極１０１ａと測定用対極１０１ｂとの間に印加される電圧を、
ａ）線形に増大させる、
ｂ）初期電位に対して、ｔｎ（ｔ:時間、ｎ:定数）の増加率で増大させる、
ｃ）初期電位に対して、ａｔ（ｔ:時間、ａ：定数）の増加率で増大させる、
ｄ）初期電位に対して、ｌｎ（ｔ）（ｔ:時間）の増加率で増大させる、
ｅ）初期電位に対して、ｓｉｎ（ａｔ）（ｔ:時間、ａ:定数、０＜ａｔ＜π／２）の増加率で増大させる、
ｆ）矩形波で近似することによりａ）〜ｅ）の増加率で増大させる、
ｇ）ａ）〜ｅ）の増加率を組合わせて増大させる、
ことができるが、どのように印加電圧を増大させてもよい。
【００７６】
例えば、ａ）のように、印加電圧を線形に増大させて掃引することにより、測定用作用極１０１ａおよび測定用対極１０１ｂとの間に印加される電圧を、低コストの簡単な回路構成の電圧出力部９により容易に掃引することができるので実用的である。
【００７７】
また、例えば、１Ｖ／秒〜１００Ｖ／秒の範囲の増加率で、両電極１０１ａ，１０１ｂ間に印加される電圧を高速に線形増大させて掃引することにより、血液試料中での移動速度の遅い赤血球の影響がより効果的に応答電流の追従性に表れるため、応答電流を計測することによるヘマトクリット値の測定精度の向上を図ることができる。
【００７８】
また、測定用作用極１０１ａと測定用対極１０１ｂとの間に掃引して印加される電圧が、所定の電圧値となったタイミングにおける応答電流の電流値、例えば、印加電圧が水の分解電圧以上の２．０Ｖとなったタイミングにおける応答電流の電流値を用いて、ヘマトクリット値を測定することができるが、応答電流の、少なくとも２つの時刻における電流値の増加率や比に基づいてヘマトクリット値を測定してもよい。
【００７９】
このようにすると、応答電流にはヘマトクリット値に依存する電流成分とは異なる種々のバックグランド成分が含まれているが、応答電流の少なくとも２つの時刻における電流値の増加率に基づいてヘマトクリット値を算出することにより、応答電流に含まれるバックグランド成分の影響を差分することにより除去することができる。
【００８０】
また、応答電流には環境温度に依存する誤差成分が含まれているが、応答電流の温度依存特性は、両電極１０１ａ，１０１ｂに対する印加電圧が掃引されても変化しないため、応答電流の少なくとも２つの時刻における電流値の比に基づいてヘマトクリット値を算出することにより、応答電流に含まれる環境温度に依存する誤差成分を除去することができる。
【００８１】
また、応答電流の少なくとも２つの時刻における電流値の比に基づいてヘマトクリット値を算出するときには、各電流値の、少なくとも１つは印加電圧が水の分解電圧よりも小さい電圧値であるときの計測値であり、少なくとも１つは印加電圧が水の分解電圧以上の電圧値であるときの計測値であるとよい。このようにすると、水が電気分解することによる電流成分の比が大きくなるので、特に印加電圧が水の分解電圧よりも小さいときの応答電流に含まれるヘマトクリット値に依存する電流成分をより効果的に計測することができ、ヘマトクリット値の測定精度の向上を図ることができる。
【００８２】
なお、応答電流の所定のタイミングにおける１つの電流値に基づいてヘマトクリット値を測定する場合には、両電極１０１ａ，１０１ｂ間に印加される電圧が、水の分解電圧以上、すなわち、１Ｖ以上であれば、応答電流の電流値が増大するため、より精度よくヘマトクリット値を測定することができる。
【００８３】
また、両電極１０１ａ，１０１ｂ間に印加される電圧が、水の分解電圧以上であると応答電流の電流値が増大するため、例えば、印加電圧が１．８Ｖから２．０Ｖに増大したときの応答電流の増加率に基づいて、ヘマトクリット値を測定することにより、より精度よくヘマトクリット値を測定することができる。また、２つ以上の時刻における応答電流の電流値の比に基づいてヘマトクリット値を測定する場合には、上記したように、両電極１０１ａ，１０１ｂ間の印加電圧が、水の分解電圧よりも小さい例えば０．５Ｖのときの応答電流の電流値と、水の分解電圧以上の例えば２．０Ｖのときの応答電流の電流値との比に基づいてヘマトクリット値を測定するとよい。
【００８４】
＜計測処理＞
次に、バイオセンサシステム１において実行される血液試料中のグルコースを定量する計測処理の一例について説明する。センサチップ１００が測定器２に装着されたことが図示省略された検出回路により検出されると、測定用作用極１０１ａと測定用対極１０１ｂと間にセンサチップ１００のキャビティ１０４に血液試料が供給されたことを検出するための血液試料検知用電圧が印加される（ステップＳ１）。そして、キャビティ１０４に血液試料が供給されて測定用作用極１０１ａおよび測定用対極１０１ｂが血液試料により液絡すると、測定用作用極１０１ａと測定用対極１０１ｂとの間に流れる電流が増大することから抵抗値の変化が検知されるので、これにより、キャビティ１０４に血液試料が供給されたことが検出部８ａにより検出される（ステップＳ２）。
【００８５】
キャビティ１０４に血液試料が供給されたことが検出部８ａにより検出されると、電圧出力部９により、測定用作用極１０１ａと測定用対極１０１ｂとの間にヘマトクリット値（Ｈｃｔ）測定用の電圧が印加され（ステップＳ３）、応答電流が所定のタイミングで計測部８ｃにより計測される（ステップＳ４）。
【００８６】
次に、電圧出力部９により、定量用作用極１０２ａと定量用対極１０２ｂとの間にグルコース濃度（血糖値）測定用の電圧（例えば０．３Ｖ）が印加され（ステップＳ５）、電圧が印加されてから所定時間（３〜５秒）経過後の酸化電流の電流値が計測部８ｃにより計測される（ステップＳ６）。
【００８７】
そして、計測された応答電流の電流値に基づいてヘマトクリット値が定量部８ｄにより導出され、導出されたヘマトクリット値および計測された酸化電流の電流値と、記憶部５に記憶された換算式とに基づいて血液試料に含まれるグルコースの定量が定量部８ｄにより行われて、測定結果が報知部８ｅにより報知されることにより処理を終了する。
【００８８】
以上のように、センサチップ１００が備える測定用作用極１０１ａと測定用対極１０１ｂとの間に印加される電圧を掃引して得られる応答電流が計測され、掃引された印加電圧の時間変化に対する応答電流の追従性に基づいてヘマトクリット値が導出されるため、従来のヘマトクリット値の測定方法のように、ヘマトクリット値を測定するのに酸化還元物質の酸化還元反応が安定するまで待機する必要がなく、血液試料のヘマトクリット値を短時間で測定することができる。また、ヘマトクリット値を測定するのに酸化還元物質が必要ないので、ヘマトクリット値を低コストで測定することができる。
【００８９】
また、ヘマトクリット値および還元物質の酸化電流に基づいて測定対象物質の定量が行われるため、血液試料のヘマトクリット値の影響を除去して精度よく測定対象物質の定量を行うことができる。また、血液試料のヘマトクリット値が短時間で測定されると共に、ヘマトクリット値を測定するのに酸化還元物質が必要ないので、ヘマトクリット値に基づく血液試料中の測定対象物質の定量を短時間、低コストで行うことができる。
【００９０】
また、センサチップ１００の電極層１１０には、測定用作用極１０１ａおよび測定用対極１０１ｂ並びに定量用作用極１０２ａおよび定量用対極１０２ｂを含む電極系が、各電極１０１ａ，１０１ｂ，１０２ａ，１０２ｂの一部がキャビティ１０４に露出するように設けられている。したがって、測定作用極１０１ａおよび測定用対極１０１ｂに印加される電圧を掃引して得られる応答電流を計測し、掃引された印加電圧の時間変化に対する応答電流の追従性に基づいて、血液試料のヘマトクリット値を短時間、低コストで測定することのできるセンサチップ１００を提供することができる。
【００９１】
また、センサチップ１００の測定用作用極１０１ａおよび測定用対極１０１ｂの組が、試料導入口１０４ａに近い上流側に配置され、定量用作用極１０２ａおよび定量用対極１０２ｂの組が、試料用導入口１０４ａから遠い下流側に配置されると共に、血液試料中に含まれる測定対象物質と特異的に反応する酵素を含む反応層１０３が、測定用作用極１０１ａおよび測定用対極１０１ｂの組よりも下流側に配置されてキャビティ１０４に設けられている。したがって、試料用導入口１０４ａからキャビティ１０４に血液試料が供給されたときに、反応層１０３が測定用作用極１０１ａおよび測定用対極１０１ｂよりも下流側に配置されているため、反応層１０３が血液試料に溶解することにより生成された物質が、測定用作用極１０１ａと測定用対極１０１ｂとの間に電圧が印加されることによるヘマトクリット値の測定に影響を与えるのを抑制することができる。
【００９２】
なお、本発明は上記した実施形態に限定されるものではなく、その趣旨を逸脱しない限りにおいて、上記したもの以外に種々の変更を行なうことが可能であり、例えば、上記したセンサチップ１００の反応層１０３に含まれる酵素およびメディエータの組合せを変更することによりエタノールセンサや乳酸センサなどを形成してもよい。また、反応層１０３にはメディエータを必ずしも含まなくともよく、この場合、グルコースなどの測定対象物質の酵素反応により生じる過酸化水素や酵素の還元体などの還元物質が酸化されることによる酸化電流を計測すればよい。
【００９３】
また、上記した実施形態における計測タイミングおよび印加電位の大きさなどは、全て一例であって、測定対象物質の種類、反応層１０３に含まれる酵素やメディエータの種類などに応じて、応答電流および酸化電流が十分な大きさで計測されるように適宜最適な値を設定すればよい。
【産業上の利用可能性】
【００９４】
本発明は、種々のセンサチップを用いた測定を行うヘマトクリット値の測定方法および定量分析方法に適用することができる。
【符号の説明】
【００９５】
１００    センサチップ
１０１ａ    測定用作用極
１０１ｂ    測定用対極
１０２ａ    定量用作用極
１０２ｂ    定量用対極
１０３    反応層
１０４    キャビティ
１０４ａ    試料導入口
１０５    スリット
１１０    電極層
１２０    スペーサ層
１３０    カバー層
【図１】
2013073072.tif 000003
【図２】
2013073072.tif 000004
【図３】
2013073072.tif 000005
【図４】
2013073072.tif 000006
【図５】
2013073072.tif 000007
【図６】
2013073072.tif 000008
【図７】
2013073072.tif 000009
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
測定用作用極および測定用対極を含む電極系を備えるセンサチップを用いた血液試料のヘマトクリット値の測定方法において、
前記測定用作用極と前記測定用対極との間に印加される印加電圧を掃引して得られる応答電流を計測し、掃引された前記印加電圧の時間変化に対する前記応答電流の追従性に基づいてヘマトクリット値を導出する
ことを特徴とするヘマトクリット値の測定方法。
【請求項２】
前記印加電圧を正方向に増大させて掃引することを特徴とする請求項１に記載のヘマトクリット値の測定方法。
【請求項３】
前記応答電流の、少なくとも２つの時刻における電流値の増加率に基づいて、前記ヘマトクリット値を算出する請求項１または２に記載のヘマトクリット値の測定方法。
【請求項４】
前記応答電流の、少なくとも２つの時刻における電流値の比に基づいて、前記ヘマトクリット値を算出する請求項１または２に記載のヘマトクリット値の測定方法。
【請求項５】
前記各電流値の、少なくとも１つは前記印加電圧が水の分解電圧よりも小さい電圧値であるときの計測値であり、少なくとも１つは前記印加電圧が前記水の分解電圧以上の電圧値であるときの計測値であることを特徴とする請求項４に記載のヘマトクリット値の測定方法。
【請求項６】
前記印加電圧を線形に増大させて掃引することを特徴とする請求項１ないし５のいずれかに記載のヘマトクリット値の測定方法。
【請求項７】
前記印加電圧を、１Ｖ／秒〜１００Ｖ／秒の範囲の増加率で線形に増大させて掃引することを特徴とする請求項６に記載のヘマトクリット値の測定方法。
【請求項８】
請求項１ないし７のいずれかに記載のヘマトクリット値の測定方法を用いて前記血液試料のヘマトクリット値を測定する工程と、
前記血液試料中の測定対象物質と、前記測定対象物質と特異的に反応する酵素を含む反応層とが反応することで生成される還元物質を、前記電極系が有する定量用作用極と定量用対極間との間に電圧を印加して酸化することにより得られる酸化電流を計測する工程と、
前記ヘマトクリット値および前記酸化電流に基づいて前記測定対象物質の定量を行う工程と
を備えることを特徴とする定量分析方法。
【請求項９】
電極層と、カバー層と、電極層およびカバー層に挟まれて配置されるスペーサ層とが積層されて成り、前記電極層および前記カバー層と前記スペーサ層に形成されたスリットとにより形成されたキャビティと、前記キャビティに連通する試料導入口とを備えるセンサチップにおいて、
前記電極層には、測定用作用極および測定用対極並びに定量用作用極および定量用対極を含む電極系が、前記各電極の一部が前記キャビティに露出するように設けられ、
前記測定用作用極および前記測定用対極の組が前記試料導入口に近い上流側に配置され、前記定量用作用極および前記定量用対極の組が前記試料導入口から遠い下流側に配置されると共に、血液試料中に含まれる測定対象物質と特異的に反応する酵素を含む反応層が、前記測定用作用極および前記測定用対極の組よりも下流側に配置されて前記キャビティに設けられている
ことを特徴とするセンサチップ。
【請求項１０】
血液試料のヘマトクリット値の測定に用いられるバイオセンサシステムであって、
測定用作用極および測定用対極を含む電極系を備えるセンサチップと、
前記センサチップが装着される測定器とを備え、
前記測定器は、
前記測定用作用極と前記測定用対極との間に印加される印加電圧を掃引して得られる応答電流を計測する計測部と、
掃引された前記印加電圧の時間変化に対する前記応答電流の追従性に基づいてヘマトクリット値を導出する定量部と
を有する、バイオセンサシステム。
【請求項１１】
前記測定器は、計時を行う計時部をさらに有する、請求項１０に記載のバイオセンサシステム。
【国際調査報告】
2013073072.tif 000010
2013073072.tif 000011